(57)【特許請求の範囲】
【請求項１】
印鑑のイメージを読み取って得られた印影画像データを取り込み、この印影画像データで示される表示画像中に印影画像部分以外の不要な画像が存在する場合にはこれをゴミ画像として画像中から取り除く処理を行う印鑑イメージ処理装置であって、
前記印影画像データで示される前記表示画像中にある印影画像の形状、中心位置、および大きさに対応する形状、中心位置、および大きさを持つ画像切出しエリアを作成する画像切出しエリア作成手段と、
この画像切出しエリア作成手段で作成された画像切出しエリアを使用して、前記印影画像データから前記印影画像部分を切り出す印影画像切出し手段とを備え、
前記画像切出しエリア作成手段は、
手動操作入力に応じて、円形の画像切り出しエリアの形状が選択されると、入力された前記中心位置を中心点としてこの中心点を通る垂直走査線および水平走査線を決定し、
走査線上にある各画像の黒点・白点の判別を利用して得られた画像から、前記垂直走査線上または水平走査線上にゴミの画像を形成する画素が存在するとき、この走査線とゴミの画像を形成する画素との交点のうち、前記中心点から最も近い交点を第1の交点として決定し、
この第１の交点よりも所定距離短い距離を半径とする円を、切り出しエリアを確定するための第１のサークルとし、
さらに、前記中心点を通る斜め走査線を決定し、
走査線上にある各画像の黒点・白点の判別を利用して得られた画像から、前記斜め走査線上にゴミの画像を形成する画素が存在するとき、この走査線とゴミの画像を形成する画素との交点のうち、前記中心点から最も近い交点を第２の交点として決定し、
この第２の交点よりも所定距離短い距離を半径とする円を、切り出しエリアを確定するための第２のサークルとし、
前記第１のサークルおよび前記第２のサークルの半径を比較して短い距離よりも所定距離短い距離を半径として画像切り出しエリアの大きさを確定する
ことを特徴とする印鑑イメージ処理装置。
【発明の詳細な説明】
【０００１】
【発明の属する技術分野】
本発明は、印鑑の印影を処理する印鑑イメージ処理装置に係わり、特に印影の周りにあるゴミの画像を一括して削除する印鑑イメージ処理装置に関する。
【０００２】
【従来の技術】
地方自治体などでは、コンピュータで構成された印鑑イメージ処理装置を使用して、印鑑登録処理、および印鑑証明書の発行処理などを行うことが多い。
【０００３】
この際、住民から申請される印鑑登録の手続きが行われる都度、申請用紙に押された印鑑の印影がイメージスキャナにより読み込まれ、このイメージスキャナから出力される印影画像データが画像処理装置により取り込まれて、表示装置上に印影画像データに対応する表示画像が表示される。
【０００４】
この状態で、申請用紙が動かされ、表示装置上に表示されている印影画像が最適な位置に表示されるように前記申請用紙が移動された後、キーボードが操作されて、確定指示が入力されたとき、イメージスキャナから出力される印影画像データと、住民の住所、氏名などとが対にされて、記憶装置内の印鑑簿ファイルに登録される。
【０００５】
そして、各住民の１人から印鑑証明の手続きが行われ、これに対応して、キーボードが操作されて、住民の住所、氏名などが入力されたとき、画像処理装置によって、記憶装置内の印鑑簿ファイルが検索されて、住民の印影画像データが読み出されるとともに、これがプリンタに供給されて、所定形式の用紙に印影がプリントされ、印鑑証明書が発行される。
【０００６】
【発明が解決しようとする課題】
ところで、申請用紙に押された印影の周囲にはゴミなどが付着することが多々あり、この状態で、イメージスキャナによって印影を読み込み、表示装置上に表示させると、図１２に示すように、表示画像１０１（イメージスキャナから出力される印影画像データで示される画像）内にある印影画像１０２の周囲などにゴミの画像１０３が出てしまう。それ故、上述した従来の印鑑イメージ処理装置では、印鑑登録を行う前に、画像処理装置にインストールされているゴミ消しツールソフトを動作させ、このようなゴミの画像１０３を１つずつ取り除いた後に、印鑑登録を行うようにしていた。
【０００７】
このように従来の印鑑イメージ処理装置では、印鑑登録を行う際のオペレータの作業負担が過大になってしまうばかりでなく、印鑑登録申請者を長い時間、待たせてしまうという不具合があった。
【０００８】
本発明は上記の事情に鑑み、ゴミ消しツールなどを使用することなく、印影画像の周囲にあるゴミの画像を一括して取り除くことができ、これによってオペレータの負担を軽くすることができるとともに、印鑑登録申請者の待ち時間を短縮することができる印鑑イメージ処理装置を提供することを目的としている。
【０００９】
【課題を解決するための手段】
上記の目的を達成するために本発明は、請求項１では、印鑑のイメージを読み取って得られた印影画像データを取り込み、この印影画像データで示される表示画像中に印影画像部分以外の不要な画像が存在する場合にはこれをゴミ画像として画像中から取り除く処理を行う印鑑イメージ処理装置であって、前記印影画像データで示される前記表示画像中にある印影画像の形状、中心位置、および大きさに対応する形状、中心位置、および大きさを持つ画像切出しエリアを作成する画像切出しエリア作成手段と、この画像切出しエリア作成手段で作成された画像切出しエリアを使用して、前記印影画像データから前記印影画像部分を切り出す印影画像切出し手段とを備え、前記画像切出しエリア作成手段は、手動操作入力に応じて、円形の画像切り出しエリアの形状が選択されると、入力された前記中心位置を中心点としてこの中心点を通る垂直走査線および水平走査線を決定し、走査線上にある各画像の黒点・白点の判別を利用して得られた画像から、前記垂直走査線上または水平走査線上にゴミの画像を形成する画素が存在するとき、この走査線とゴミの画像を形成する画素との交点のうち、前記中心点から最も近い交点を第1の交点として決定し、この第１の交点よりも所定距離短い距離を半径とする円を、切り出しエリアを確定するための第１のサークルとし、さらに、前記中心点を通る斜め走査線を決定し、走査線上にある各画像の黒点・白点の判別を利用して得られた画像から、前記斜め走査線上にゴミの画像を形成する画素が存在するとき、この走査線とゴミの画像を形成する画素との交点のうち、前記中心点から最も近い交点を第２の交点として決定し、この第２の交点よりも所定距離短い距離を半径とする円を、切り出しエリアを確定するための第２のサークルとし、前記第１のサークルおよび前記第２のサークルの半径を比較して短い距離よりも所定距離短い距離を半径として画像切り出しエリアの大きさを確定することを特徴としている。
【００１５】
また、画像切出しエリア作成手段は、手動操作によって入力された内容に基づき、画像切出しエリアの形状、中心位置を決定するとともに、画像切出しエリアの中心位置から最も近いゴミ画像の位置を判定し、この判定結果に基づき、ゴミ画像の内側を通るように、画像切出しエリアの大きさを決定する。これにより、印影画像の中心位置、印影画像の形状を手動入力するだけで、ゴミ消しツールなどを使用することなく、印影画像の周囲にあるゴミの画像を一括して取り除き、オペレータの負担を軽くするとともに、印鑑登録申請者の待ち時間を短縮する。
【００２１】
【発明の実施の形態】
《第１の実施の形態》
図１は本発明による印鑑イメージ処理装置の第１の実施の形態を示すブロック図である。
【００２２】
この図に示す印鑑イメージ処理装置１は、各種データや指令を入力するためのキーボード２と、操作に応じた移動方向データ、移動距離データ、または選択データなどを出力するマウス３と、申請用紙４に押された印鑑の印影５を読み込んで印影画像データを出力するイメージスキャナ６とを備えている。また、イメージスキャナ６から出力される印影画像データを取り込む画像取込み処理、この画像取込み処理で取り込まれた印影画像データを表示データに変換する表示データ生成処理、印影画像データの指定部分を切り出す切出し処理、この切出し処理で切り出された印影画像データを登録する登録処理、この登録処理で登録されている各印影画像データを検索する検索処理、およびこの検索処理で得られた印影画像データを印字データとして出力するプリント処理などを行う画像処理装置７を備えている。さらに、この画像処理装置７から出力される表示データを取り込んで、この表示データで示される表示画像、画像切出しエリアなどを表示する表示装置８と、画像処理装置７で処理された印影画像データの登録エリアとして使用される記憶装置９と、画像処理装置７から出力される印字データを取り込んで、予めセットされている指定された用紙に印影１２をプリントして、印鑑証明書１１を発行するプリンタ１０とを備えて構成されている。
【００２３】
この印鑑イメージ処理装置１において、住民から印鑑登録の申請があると、オペレータにより、印影５が押された申請用紙４がイメージスキャナ６にセットされる。そして、キーボード２から登録指示が入力されると、画像処理装置７では、イメージスキャナ６から出力される印影画像データが取り込まれて表示装置８上に表示される。
【００２４】
この状態で、キーボード２が操作され、表示画像中の印影画像の形状に応じた形状を持つ画像切出しエリア、例えば表示装置８に表示されている印影画像が図２に示すような円形の印影画像１３であれば、円形の形状を持つ画像切出しエリア１４が選択される。次いで、この画像切出しエリア１４を構成する十字マーク１５の中心と、印影画像１３の中心とが一致するように、マウス３が動かされて画像切出しエリア１４が移動される。十字マーク１５の中心と、印影画像１３の中心とが一致するまで移動され、マウス３の選択スイッチ１６が押されると、画像切出しエリア１４の中心位置が確定される。
【００２５】
次いで、図３に示すように、マウスカーソル１８が動かされて、印影画像１３の縁よりも、画像切出しエリア１４を構成するサークル１７が外側にくるように、画像切出しエリア１４の半径が調整された後、マウス３の選択スイッチ１６が押されると、画像処理装置７により、画像切出しエリア１４のサークル径が確定される。
【００２６】
これにより、画像処理装置７によって、印影画像１３を含む表示画像から、サークル１７内にある部分が切り出され、サークル１７の外にあるゴミの画像などが取り除かれた印影画像データが作成されるとともに、キーボード２から入力された住民の住所、氏名と、ゴミ除去済みの印影画像データとが対にされて、記憶装置９の印鑑簿ファイルに登録される。
【００２７】
この後、住民から印鑑証明書の発行申請がされると、オペレータによってキーボード２が操作され、印鑑証明書の手続きを申し込んだ住民の住所、氏名などが入力されたとき、画像処理装置７によって、記憶装置９内の印鑑簿ファイルが検索されて住民の印影画像データが読み出される。
【００２８】
そして、画像処理装置７によって、検索動作で抽出された印影画像データに基づき、印字データが作成され、これがプリンタ１０に供給され、所定形式の用紙に印影１２がプリントされて印鑑証明書１１が発行される。
【００２９】
このように、この実施の形態においては、手動操作によって、登録対象となる印鑑の印影形状に応じて、画像切出しエリア１４の形状を選択した後、印影画像１３の縁よりも、サークル１７の縁が外側になるように、画像切出しエリア１４の位置、および大きさを調整するだけで、画像切出しエリア１４の外側にあるゴミの画像を一括して取り除いて、印鑑簿ファイルに登録し得るようにした。このため、ゴミ消しツールなどを使用することなく、印影画像１３の周囲にあるゴミの画像を一括して取り除くことができ、これによってオペレータの負担を軽くすることができるとともに、印鑑登録申請者の待ち時間を短縮することができる。
【００３０】
また、この実施の形態では、手動操作によって、登録対象となる印鑑の印影形状に応じて、画像切出しエリア１４の形状を選択した後、印影画像１３の縁より、サークル１７の縁が外側になるように、画像切出しエリア１４の位置、および大きさを調整するようにした。このため、印影画像１３と、周囲にあるゴミの画像とが近いときにも、印影画像１３と、ゴミの画像との境界を正確に設定して、ゴミの画像を一括削除することができる。
【００３１】
《第２の実施の形態》
次に、本発明による印鑑イメージ処理装置の第２の実施の形態を説明する。なお、基本的な装置構成は図１と同一のため、ブロック図の図示は省略する。
【００３２】
第２の実施の形態における印鑑イメージ処理装置１が第１の実施の形態における印鑑イメージ処理装置１と異なる点は、画像切出しエリア１４の中心位置、画像切出しエリア１４の形状を入力するだけで、画像処理装置７によって、ゴミの画像を自動的に判別し、この判別結果に基づき、画像切出しエリア１４の大きさを自動的に最適化して、印影画像１３を抽出することにより、印鑑の登録処理をさらに簡素化するようにしたことである。
【００３３】
すなわち、イメージスキャナ６に申請用紙４がセットされると、このイメージスキャナ６から印影画像データが読み取られ、表示装置８に印影画像データを含む画像が表示される。画像が表示されている状態で、オペレータによって、キーボード２から画像切出しエリア１４ａの形状が指定され、さらにマウス３から画像切出しエリア１４ａの中心点が指定されると、画像処理装置７によって、図４に示すように、画像切出しエリア１４ａの中心点を通る垂直走査線３１と、水平走査線３２とが引かれて、これらの垂直走査線３１、水平走査線３２上にある各画素が黒点を示す“１”か、白点を示す“０”かが判別される。黒点を示す“１”は、ゴミの画像、印影の縁、または印影自体のいずれかである。この判別の結果、先ず、中心点から各方向に一番遠い黒点、この例では、垂直走査線３１、および水平走査線３２と、ゴミの画像２１ａ，２１ｂ，２１ｃ，２１ｄとの４つ交点を認識し、この４点の中から、中心点から一番近い点、この例では垂直走査線３１とゴミの画像２１ａとの交点を認識して、この点までの距離より少し短い距離を半径とする円（図中、破線で示す）を描き、サークル１７ａとする。サークル１７ａを持つエリアを仮の画像切り出しエリア１４ａとする。この時点では、未だ切り出しエリアは確定されていない。
【００３４】
次に、図５に示すように、走査線の数を増やし、対角線上に２本の斜め走査線３３，３４を引き、各斜め走査線３３，３４上にある黒点を認識する。この場合、斜め走査線３４上にあるゴミの画像２１ｅとの交点が認識される。そして、図４で中心点から一番近いと判断された黒点の中心点からの距離（サークル１７ａの半径）と、図５で新たに認識された黒点の中心点からの距離とを比較して、中心点から近い方の黒点を選択する。この場合、選択された黒点の中心点からの距離よりも少し短い距離を半径とする円（図中、一点鎖線で示す）を描き、これをサークル１７ｂとする。そして、このサークル１７ｂを持つエリアを正規の切り出しエリア１７ｂとして印影画像を切り出す。
【００３５】
このように、この実施の形態では、画像切出しエリア１４の中心点、および画像切出しエリア１４の形状を入力するだけで、ゴミの画像２１を自動的に判別し、この判別結果に基づき、画像切出しエリア１４の大きさを自動的に調整し、印影画像１３部分を抽出するようにした。このため、半自動操作で画像切出しエリア１４を最適化し、ゴミ消しツールなどを使用することなく、印影画像１３の周囲にあるゴミの画像を一括削除することができ、これによってオペレータの負担を軽くすることができるとともに、印鑑登録申請者の待ち時間を短縮することができる。
【００３６】
《第３の実施の形態》
次に、本発明による印鑑イメージ処理装置の第３の実施の形態を説明する。なお、基本的な装置構成は図１と同一のため、ブロック図の図示は省略する。
【００３７】
第３の実施の形態における印鑑イメージ処理装置１が第２の実施の形態における印鑑イメージ処理装置１と異なる点は、半自動操作で印影画像１３の周りにあるゴミの画像を取り除くことができない場合に、手動入力された内容に基づき、画像処理装置７により抽出エラーを修正し得るようにしたことである。
【００３８】
すなわち、イメージスキャナ６に申請用紙４がセットされると、このイメージスキャナ６から印影画像データが読み取られ、表示装置８に印影画像データを含む画像が表示される。画像が表示されている状態で、オペレータによって、キーボード２から画像切出しエリア１４の形状が指定され、さらにマウス３が操作されて、画像切出しエリア１４の中心点が指定されると、画像処理装置７によって、図６に示すように、画像切出しエリア１４の中心点を通る垂直走査線３１、水平走査線３２、２本の斜め走査線３３、３４が作成されて、これらの垂直走査線３１、水平走査線３２、各斜め走査線３３、３４上にある各画素が黒点を示す“１”か、白点を示す“０”かが判定される。この判定結果に基づき、各黒点のうち、画像切出しエリア１４の中心点に最も近い黒点が選択されて、この黒点を通るように、画像切出しエリア１４を構成するサークル１７の半径が自動的に決定される。
【００３９】
この際、画像切出しエリア１４の中心点を指定する際の指示がずれていたり、画像切出しエリア１４の形状と、印影画像１３の形状とが完全に一致していないなどの理由により、図６に示すように、画像切出しエリア１４を構成するサークル１７の一部が自動的に決定された印影画像１３の縁内に入ってしまい、画像切出しエリア１４を使用して、表示画像から印影画像１３を正確に切り出せなくなってしまうことがある。
【００４０】
この場合には、オペレータによって、キーボード２から手動操作モードが指定され、画像処理装置７によって、垂直走査線３１、水平走査線３２、各斜め走査線３３，３４上にある各黒点のうち、画像切出しエリア１４の中心点に最も近い黒点が選択されて、この黒点から、予め設定されている“＋α”ｍｍだけ外側にある点を通るように、画像切出しエリア１４を構成するサークルの半径が拡大される。
【００４１】
この後、オペレータによって、キーボード２から次候補指示が入力される毎に、画像処理装置７によって、上述したサークル拡大処理で作成されたサークル１７から、さらに“＋α”ｍｍだけ外側にある点が順次、選択されて、これらの各点を通るように、サークル１７の半径が順次、拡大される。
【００４２】
そして、印影画像１３の縁より、サークル１７が外側になり、かつサークル１７より、各ゴミの画像２１が外側になる画像切出しエリア１４が得られる。そして、キーボード２から確定指示が入力されると、画像処理装置７によって画像切出しエリア１４のサークル径が確定されて、表示画像から印影画像１３が切り出される。
【００４３】
この際、図７に示すように、印影画像１３の近くにゴミの画像２３ａ，２３ｂ，２３ｃ，２３ｄ，２３ｅが均等に分布し、サークル１７の拡大処理によって得られたサークル１７と、ゴミの画像２３ａ，２３ｂ，２３ｃ，２３ｄ，２３ｅとが重なっている状態で、オペレータによって、キーボード２から再調整指示が入力されると、画像処理装置７によって、図８に示すように、最後に作成されたサークル１７上にある各黒点のうち、画像切出しエリア１４の中心に最も近い黒点が選択され、この黒点の内側にある白点を通るように、サークル１７が再作成される。
【００４４】
そして、オペレータによって、キーボード２から確定指示が入力されると、画像処理装置７によって、再作成されたサークル１７が本決定に切り替えられ、表示画像からサークル１７内にある部分が切り出されて、サークル１７の外にあるゴミの画像２３ａ，２３ｂ，２３ｃ，２３ｄ，２３ｅが取り除かれた印影画像データが作成されるとともに、キーボード２から入力された住民の住所、氏名と、ゴミ除去済みの印影画像データとが対にされて記憶装置９の印鑑簿ファイルに登録される。
【００４５】
このように、この実施の形態では、キーボード２やマウス３を操作して、サークル１７の中心点、サークル１７の形状を入力した後、ゴミの画像２３ａ，２３ｂ，２３ｃ，２３ｄ，２３ｅを自動的に判別してサークル１７の半径を決める処理において、最適な画像切出しエリア１４が得られないときには、サークル１７の径を順次、拡大して、画像切出しエリア１４を最適化するようにした。このため、印影画像１３と、周囲にあるゴミの画像２３ａ，２３ｂ，２３ｃ，２３ｄ，２３ｅとが近いときにも、画像切出しエリア１４の大きさを順次、調整して、印影画像１３と、周囲にあるゴミの画像２３ａ，２３ｂ，２３ｃ，２３ｄ，２３ｅとの境界を決定することができ、これによりゴミ消しツールなどを使用することなく印影画像１３の周囲にあるゴミの画像を一括削除して、オペレータの負担を軽くすることができるとともに、印鑑登録申請者の待ち時間を短縮することができる。
【００４６】
また、この実施の形態では、半径を順次、拡大して得られたサークル１７と、ゴミの画像２１とが重なっている状態で、キーボード２から再調整指示が入力されたとき、サークル１７上にあるゴミの画像２３ａ，２３ｂ，２３ｃ，２３ｄ，２３ｅより内側を通るように、サークル１７の径を縮小して、これを最適化するようにした。このため、印影画像１３と、周囲にあるゴミの画像２１とが近いときにも、サークル１７の径を拡大するときの“＋α”をある程度、大きな値に設定して、少ない拡大処理回数で、印影画像１３と、周囲にあるゴミの画像２１との境界を決定し、印影画像１３の周囲にあるゴミの画像を一括削除することができる。
【００４７】
《第４の実施の形態》
次に、本発明による印鑑イメージ処理装置の第４の実施の形態を説明する。なお、基本的な装置構成は図１と同一のため、ブロック図の図示は省略する。
【００４８】
第４の実施の形態における印鑑イメージ処理装置１が第２の実施の形態における印鑑イメージ処理装置１と異なる点は、画像処理装置７によって、印影画像１３の中心位置、半径を自動的に判定し、この判定結果に基づき、画像切出しエリア１４の中心点、画像切出しエリア１４の半径などを決定して、印影画像１３の抽出処理を自動化するようにしたことである。この実施の形態は、印影画像が表示画像のどこに位置していてもこれを自動的に見つけ出して、印影画像を抽出するのに有効な処理である。
【００４９】
すなわち、イメージスキャナ６に申請用紙４がセットされると、このイメージスキャナ６から印影画像データが読み取られ、表示装置８に印影画像データを含む画像が表示される。この状態で画像処理装置７によって、図９に示すように、予め設定されている走査線間隔“ａ1”を持つ複数の水平走査線３５，３６，３７が引かれる。そして、各水平走査線３５，３６，３７上にある各画素が黒点を示す“１”か、白点を示す“０”かが判別される。黒点と認識された画素を持つ水平走査線３５があれば、画像処理装置７によって、この水平走査線３５の上下にある２つの水平走査線３６，３７が選択されて、各水平走査線３６，３７上にある各画素が黒点を示す“１”か、白点を示す“０”かが判別される。黒点が認識されると、この黒点に隣接する画素が選択され、これが黒点であるか否かが判別される。黒点である場合には、この黒点に隣接する点が黒点であるか、白点であるかが判定される。こうして、黒点を追跡していき、連続している黒点が選択され、各黒点が閉ループ（黒点のつながりによって閉じられたループ）になっているかどうかが判別される。
【００５０】
また、黒点と認識された画素を持つ水平走査線３５の上下にある２つの水平走査線３６，３７上に黒点が見つからなければ、画像処理装置７によって、黒点と判定された画素を持つ水平走査線３５，３６，３７から所定間隔“ａ2”（但し、ａ2＝ａ1／２）だけ上下に水平走査線が各々作成されて、新たに作成された水平走査線上にある各画素が黒点を示す“１”か、白点を示す“０”かが判定され、これらの判定結果に基づき、各黒点のうち、連続している黒点が選択されて、各黒点が閉ループ（黒点のつながりによって閉じられたループ）になっているかどうかが判定される。
【００５１】
以下、水平走査線２４の間隔が次第に狭められながら、上述した水平走査線の作成処理、黒点の検出処理が繰り返されて、各水平走査線上で検出された各黒点のうち、不連続な各黒点がゴミの画像２４ａ，２４ｂ，２４ｃと判別されるとともに、連続している各黒点が閉ループ（黒点のつながりによって閉じられたループ）２５になっている場合にはこの閉ループが印影画像部分であると判定される。次いで、図１０に示すように、閉ループの中央部分に垂直走査線４１が作成されるとともに、閉ループ２５を構成している各黒点によって囲まれた部分の上端部分２６と、各黒点によって囲まれた部分の下端部分２７との間が６分割されて、５本の水平走査線４２〜４６が作成される。次いで、各水平走査線４２〜４６上にある各画素が黒点を示す“１”か、白点を示す“０”かが判定され、この判定結果に基づき、閉ループ２５の詳細な形状が算出されて、印影画像１３の中心位置、この中心位置から印影画像１３の縁までの半径などが算出される。
【００５２】
この際、印影画像１３の縁が欠けている、あるいはかすれているなどの理由により、５本の水平走査線４２〜４６を使用しても、閉ループ２５の詳細な形状、中心位置、および半径などが得られなければ、図１１に示すように、画像処理装置７によって、垂直走査線４１を挟んで２本の垂直走査線４８，４９が追加され、また５本の水平走査線４２〜４６の間に、新たな水平走査線５１〜５６が追加され、これらの各垂直走査線４８，４９、水平走査線５１〜５６上にある各画素が黒点を示す“１”か、白点を示す“０”かが判定され、この判定結果に基づき、閉ループ２５で示される印影画像１３の中心位置、この中心位置から印影画像１３の縁までの半径などが算出される。
【００５３】
次いで、画像処理装置７によって、印影画像１３の縁形状に応じた形状を持つ画像切出しエリア、例えば表示装置８に表示されている印影画像１３が円形の印影画像であれば、円形の形状を持つ画像切出しエリア１４が選択された後、この画像切出しエリア１４の中心と、印影画像１３の中心とが一致するように、画像切出しエリア１４の中心位置が調整されるとともに、画像切出しエリア１４の半径が印影画像１３の半径より少し大きくなるように、画像切出しエリア１４の半径が調整された状態で、表示画像から、画像切出しエリア１４のサークル１７内にある部分が切り出され、サークル１７の外にあるゴミの画像などが取り除かれた印影画像データが作成されるとともに、キーボード２から入力された住民の住所、氏名と、ゴミ除去済みの印影画像データとが対にされて、記憶装置９の印鑑簿ファイルに登録される。
【００５４】
この後、住民から印鑑証明書申請手続きが行われ、オペレータによってキーボード２が操作されて、印鑑証明書の手続きを申し込んだ住民の住所、氏名などが入力されたとき、画像処理装置７によって、記憶装置９内の印鑑簿ファイルが検索されて、住民の印影画像データが読み出される。
【００５５】
そして、画像処理装置７によって、検索動作で抽出された印影画像データに基づき、印字データが作成されて、これがプリンタ１０に供給され、所定形式の用紙に印字データで示される印影１２がプリントされて、印鑑証明書１１が発行される。
【００５６】
このように、この実施の形態では、表示画像中から印影画像部分を抽出し、印影画像１３の中心位置、半径を自動的に判定し、この判定結果に基づき、画像切出しエリア１４の中心点、画像切出しエリア１４の半径などを決定して、印影画像１３の抽出処理を自動化するようにした。このため、表示画像中のどこに印影画像１３があっても、印影画像１３の中心位置、形状、および大きさを自動的に識別して、この印影画像１３を切り出すのに最適な画像切出しエリア１４を作成して、印影画像１３部分のみを切り出すことができ、これによってゴミ消しツールなどを使用することなく、印影画像１３の周囲にあるゴミの画像２１を一括して取り除くことができる。
【００５７】
この結果、オペレータの負担を飛躍的に軽くすることができるとともに、印鑑登録申請者の待ち時間を飛躍的に短縮することができる。
【００５８】
【発明の効果】
以上説明したように本発明によれば、請求項１の印鑑イメージ処理装置では、印影画像の中心位置、印影画像の形状を手動入力するだけで、ゴミ消しツールなどを使用することなく、印影画像の周囲にあるゴミの画像を一括して取り除くことができ、これによってオペレータの負担を軽くすることができるとともに、印鑑登録申請者の待ち時間を短縮することができる。
【図面の簡単な説明】
【図１】本発明による印鑑イメージ処理装置の実施の形態を示すブロック図である。
【図２】第１の実施の形態の印鑑イメージ処理装置における画像切出しエリアの中心位置調整動作を模式的に示す説明図である。
【図３】第１の実施の形態の印鑑イメージ処理装置における画像切出しエリアの大きさ調整動作を模式的に示す説明図である。
【図４】第２の実施の形態の印鑑イメージ処理装置における画像切出しエリアの中心位置調整動作、大きさ調整動作を模式的に示す説明図である。
【図５】第３の実施の形態の印鑑イメージ処理装置における画像切出しエリアの中心位置調整動作、大きさ調整動作を模式的に示す説明図である。
【図６】第３の実施の形態の印鑑イメージ処理装置で作成された画像切出しエリアと、印影画像とがずれた状態を模式的に示す説明図である。
【図７】第３の実施の形態の印鑑イメージ処理装置における画像切出しエリアの手動拡大動作を模式的に示す説明図である。
【図８】第３の実施の形態の印鑑イメージ処理装置における画像切出しエリアの再調整動作を模式的に示す説明図である。
【図９】第４の実施の形態の印鑑イメージ処理装置における印影画像検索動作を模式的に示す説明図である。
【図１０】第４の実施の形態の印鑑イメージ処理装置における印影画像の形状検索動作、中心位置検出動作、画像切出しエリア決定動作を模式的に示す説明図である。
【図１１】第４の実施の形態の印鑑イメージ処理装置における印影画像の形状検索動作、中心位置検出動作、画像切出しエリア決定動作を模式的に示す説明図である。
【図１２】従来の印鑑イメージ処理装置で行われるゴミ画像除去処理を模式的に示す説明図である。
【符号の説明】
１…印鑑イメージ処理装置
２…キーボード
３…マウス
４…申請用紙
５，１２…印影
６…イメージスキャナ
７…画像処理装置（画像切出しエリア作成手段、印影画像切出し手段）
８…表示装置
９…記憶装置
１０…プリンタ
１１…印鑑証明書
１３…印影画像
１４，１４ａ，１４ｂ…画像切出しエリア
１５…十字マーク
１６…選択スイッチ
１７，１７ａ，１７ｂ…サークル
１８…マウスカーソル
２１ａ，２１ｂ，２１ｃ，２１ｄ，２１ｅ，２２ａ，２２ｂ，２２ｃ，２３ａ，２３ｂ，２３ｃ，２３ｄ，２３ｅ，２４ａ，２４ｂ，２４ｃ…ゴミの画像
２５…閉ループ
２６…上端部分
２７…下端部分
３１，４１，４８，４９…垂直走査線
３２，３５，３６，３７，４２，４３，４４，４５，４６５１，５２，５３，５４，５５，５６…水平走査線
３３，３４…斜め走査線
【図１】
0003660143.tif 000002
【図２】
0003660143.tif 000003
【図３】
0003660143.tif 000004
【図４】
0003660143.tif 000005
【図５】
0003660143.tif 000006
【図６】
0003660143.tif 000007
【図７】
0003660143.tif 000008
【図８】
0003660143.tif 000009
【図９】
0003660143.tif 000010
【図１０】
0003660143.tif 000011
【図１１】
0003660143.tif 000012
【図１２】
0003660143.tif 000013